(57)【特許請求の範囲】
【請求項１】
交流の入力電圧を整流して脈流の整流電圧を出力する整流回路と、
チョークコイル、主スイッチング素子、整流素子及び平滑コンデンサを有し、前記整流電圧を昇圧した昇圧電圧を前記平滑コンデンサ両端に発生させ、負荷に電力供給する昇圧チョッパ回路と、
前記昇圧電圧に相当する昇圧電圧信号を受け、基準電圧と前記昇圧電圧信号との差分を増幅することによって前記昇圧電圧の目標値を決定するエラーアンプと、
前記エラーアンプが出力する誤差増幅信号を受け、前記昇圧電圧が前記目標値になるように前記主スイッチング素子をオン・オフ制御するスイッチング制御部とを備えた力率改善回路において、
前記入力電圧を検出し入力電圧信号を出力する入力電圧検出回路と、一定周期の矩形波であって、前記入力電圧信号に応じてハイ・レベルとロー・レベルの時比率が定められる基準パルスを出力する基準パルス発生器と、前記基準パルスの平均化電圧を出力する平均化回路と、前記平均化電圧に応じた目標値補正信号を前記昇圧電圧信号に注入する補正信号注入回路とで構成された目標値補正部を備え、
前記基準パルス発生器は、マイクロコンピュータにより構成され、前記基準パルスの時比率と前記入力電圧信号との関係をプログラムの書き換えによって変更可能に設けられ、
前記エラーアンプは、前記昇圧電圧信号に前記目標値補正信号が注入されることによって、前記入力電圧の高低にかかわらず、前記昇圧電圧が前記整流電圧の波高値よりも高くなるように前記昇圧電圧の目標値を決定すると共に、前記入力電圧が低いときには前記昇圧電圧が相対的に低くなるように、前記入力電圧が高いときには前記昇圧電圧が相対的に高くなるように、前記昇圧電圧の目標値を決定することを特徴とする力率改善回路。
【請求項２】
前記目標値補正部は、前記入力電圧が所定電圧以下の範囲で、前記昇圧電圧の目標値が一定になる前記目標値補正信号を出力する請求項１記載の力率改善回路。
【請求項３】
前記昇圧電圧が過電圧基準値を超えると前記主スイッチング素子のオン・オフ動作を停止させる過電圧保護回路を備え、
前記過電圧基準値は、前記エラーアンプによって決定される前記昇圧電圧の目標値であって、前記目標値補正信号が変化したときの最大値よりも高い値に設定されている請求項１又は２記載の力率改善回路。
【請求項４】
入力電圧投入時に前記整流回路の出力から前記平滑コンデンサに向けて電流を流すダイオード及び突入電流制限抵抗の直列回路を備えた請求項１又は２記載の力率改善回路。
【発明の詳細な説明】
【技術分野】
【０００１】
この発明は、昇圧チョッパ回路を備え、商用電源から供給される入力電流の波形を整形すると共に、所定の直流電圧を出力する力率改善回路に関する。
【背景技術】
【０００２】
従来、例えば、全世界対応の商用電圧（ＡＣ１００Ｖ系、２４０Ｖ系等）に対応可能な広い入力電圧範囲を有する力率改善回路は、入力電圧が高い地域で使用されるときでも、昇圧チョッパ回路の主スイッチング素子がオン・オフして力率改善動作が行われるように、昇圧電圧の目標値を最高入力電圧の波高値よりも高い値に固定するのが一般的であった。そのため、入力電圧が低い地域で使用されると、入力電圧に比べて昇圧電圧が非常に高くなるので、後段に接続される負荷の負担が増加する。例えば、後段の負荷がＤＣ−ＤＣコンバータの場合、内部の絶縁性を向上させるために外形が大型化したり、主スイッチング素子として導通抵抗が大きい高耐圧部品を選択せざるを得なくなって効率が低下したりするという問題が生じていた。
【０００３】
近年、この問題を解決するため、入力電圧が低いときは昇圧電圧が低めになり、入力電圧が高いときは昇圧電圧が高めになるように自動調整する回路技術が複数提案されている。例えば、特許文献１に開示されているように、昇圧チョッパ回路が出力する昇圧電圧と基準電圧との誤差が小さくなるように主スイッチング素子のオン・オフ駆動することによって昇圧電圧が目標値に一致するように制御する第２の制御手段と、入力電圧が高くなってその波高値が昇圧電圧の目標値に近づくと、基準電圧を可変し、昇圧電圧の目標値が入力電圧の波高値よりも高い値になるように自動補正する基準電圧可変回路とを備えた電源装置がある。そして、基準電圧可変回路の実施例として、整流回路が出力する脈流電圧をダイオードとコンデンサでピークホールドして波高値を検出し、そのピークホールド電圧を抵抗分圧し、分圧電圧を定電圧源と比較して高い方の電圧を基準電圧として出力する回路が記載されている。この電源装置によれば、入力電圧の全ての範囲で力率改善動作を行うことができ、また、入力電圧が低い地域で使用される場合には、昇圧電圧が相応に低い電圧に設定されるので、後段に接続される負荷の負担が軽減される。
【先行技術文献】
【特許文献】
【０００４】
【特許文献１】特開平３−７８４６９号公報
【発明の概要】
【発明が解決しようとする課題】
【０００５】
しかし、特許文献１の電源装置は、入力電圧範囲の仕様を変更する場合、基準電圧可変回路の分圧抵抗その他多くの部品の定数を変更する必要があるので、その電源装置の開発においては設計変更や再評価の手間がかかり、生産においても量産部材管理等の面で煩雑さがあった。また、同一の電源装置であっても、量産時、基準電圧可変回路、昇圧電圧の検出回路、入力電圧の検出回路等を構成する各部品の特性のばらつきにより、入力電圧に対する昇圧電圧目標値の設定が大きくばらつき、組み立てられた製品の性能が安定しないという問題があった。
【０００６】
この発明は、上記背景技術に鑑みて成されたもので、入力電圧の高低に応じ、昇圧電圧の目標値を容易かつ高精度に自動調整することができる力率改善回路を提供することを目的とする。
【課題を解決するための手段】
【０００７】
この発明は、交流の入力電圧を整流して脈流の整流電圧を出力する整流回路と、チョークコイル、主スイッチング素子、整流素子及び平滑コンデンサを有し、前記整流電圧を昇圧した昇圧電圧を前記平滑コンデンサ両端に発生させ、負荷に電力供給する昇圧チョッパ回路と、前記昇圧電圧に相当する昇圧電圧信号を受け、基準電圧と前記昇圧電圧信号との差分を増幅することによって前記昇圧電圧の目標値を決定するエラーアンプと、前記エラーアンプが出力する誤差増幅信号を受け、前記昇圧電圧が前記目標値になるように前記主スイッチング素子をオン・オフ制御するスイッチング制御部とを備えた力率改善回路であって、
前記入力電圧を検出し入力電圧信号を出力する入力電圧検出回路と、一定周期の矩形波であって前記入力電圧信号に応じてハイ・レベルとロー・レベルの時比率が定められる基準パルスを出力する基準パルス発生器と、前記基準パルスの平均化電圧を出力する平均化回路と、前記平均化電圧に応じた目標値補正信号を前記昇圧電圧信号に注入する補正信号注入回路とで構成された目標値補正部を備え、前記昇圧電圧信号に前記目標値補正信号が注入されることによって、前記エラーアンプは、前記入力電圧の高低にかかわらず、前記昇圧電圧が前記整流電圧の波高値よりも高くなるように前記昇圧電圧の目標値を決定すると共に、前記入力電圧が低いときには相対的に前記昇圧電圧が低くなるように、前記入力電圧が高いときには相対的に前記昇圧電圧が高くなるように、前記昇圧電圧の目標値を決定する力率改善回路である。
【０００８】
また、前記目標値補正部は、前記入力電圧が所定電圧以下の範囲で、前記昇圧電圧の目標値が一定になる前記目標値補正信号を出力する。
【０００９】
また、前記基準パルス発生器は、マイクロコンピュータにより構成され、前記基準パルスの時比率と前記入力電圧信号との関係を、プログラムの書き換えによって変更できるものである。
【００１０】
また、前記昇圧電圧が過電圧基準値を超えると前記主スイッチング素子のオン・オフ動作を停止させる過電圧保護回路を備え、前記過電圧基準値は、前記エラーアンプによって決定される前記昇圧電圧の目標値であって、前記目標値補正信号が変化したときの最大値よりも高い値に設定されている。
【００１１】
また、入力電圧投入時に前記整流回路の出力から前記平滑コンデンサに向けて電流を流すダイオード及び突入電流制限抵抗の直列回路を備えている。
【発明の効果】
【００１２】
この発明の力率改善回路は、上記のような入力電圧検出回路、基準パルス発生器、平均化回路及び補正信号注入回路で構成された目標値補正部を備えているので、入力電圧範囲の仕様が異なるものを設計する場合でも、入力電圧検出回路の回路定数を変更するだけで、入力電圧と昇圧電圧目標値との関係を調整することができるので、設計や評価が容易で、変更する部品数も最小限に抑えることができる。さらに、基準パルス発生器をマイクロコンピュータにより構成し、基準パルスの時比率と入力電圧信号との関係をプログラムの書き換えで変更できるので、入力電圧検出回路の定数変更も行う必要がない。
【００１３】
また、上記のようにマイクロコンピュータにより基準パルス発生器を構成することで、例えば、この力率改善回路が搭載された製品を量産するとき、出荷検査工程で通電試験を行い、基準パルスの時比率と入力電圧信号との関係を定義するプログラム部分を、個々の製品の特性に合うように書き換え、入力電圧と昇圧電圧の関係が規格範囲内に収まるように微調整することができる。これにより、個々の製品のばらつきを容易に補正することができ、製品精度を向上させることができるとともに、生産性も格段に向上する。また、基準パルス発生器自体の部品点数も大幅に削減することができる。
【図面の簡単な説明】
【００１４】
【図１】この発明の第一の実施形態の力率改善回路を示すブロック図である。
【図２】第一の実施形態の力率改善回路の具体的な構成を示す回路図である。
【図３】第一の実施形態の力率改善回路の動作を説明するグラフである。
【図４】その他の実施形態の力率改善回路の具体的な構成を示す回路図である。
【図５】図４に示す実施形態の力率改善回路の動作を説明するグラフである。
【発明を実施するための形態】
【００１５】
以下、この発明の力率改善回路の第一の実施形態について、図１〜図３に基づいて説明する。この実施形態の力率改善回路１０は、図１のブロック図に示すように、入力端１４ａに商用電源１２が接続され、交流の入力電圧Ｖｉを全波整流した整流電圧Ｖｓを出力する整流回路１４を備えている。整流回路１４の出力段には、整流電圧Ｖｓを断続して整流平滑することによって昇圧電圧Ｖｏを出力する昇圧チョッパ回路１６が接続されている。そして、昇圧チョッパ回路１６の出力端１６ａに、一般の電子機器やＤＣ−ＤＣコンバータ等である負荷１８が接続され、昇圧電圧Ｖｏを供給している。
【００１６】
昇圧チョッパ回路１６は、一端が整流回路１４の出力に接続されたチョークコイル２０と、チョークコイル２０の他の一端とグランドとの間に接続された主スイッチング素子２２と、主スイッチング素子２２の両端に発生する断続電圧を整流する整流ダイオード２４と、整流ダイオード２４の出力を平滑し直流の昇圧電圧Ｖｏを発生させる平滑コンデンサ２６とで構成されている。
【００１７】
主スイッチング素子２２のオン・オフは、スイッチング制御回路２８によって制御される。スイッチング制御回路２８は、商用電源から供給される入力電流の波形を整形して力率を改善すると共に、昇圧電圧Ｖｏが所定の目標値Ｖａになるように主スイッチング素子１６のオン時間とオフ時間を決定する。
【００１８】
昇圧電圧Ｖｏを安定化する制御系は、昇圧電圧検出回路３０、エラーアンプ３２、基準電圧源３４、目標値補正部３６、およびスイッチング制御回路２８で構成されている。昇圧電圧検出回路３０は、昇圧電圧Ｖｏを検出して昇圧電圧信号Ｖｏ１を出力する。エラーアンプ３２は、昇圧電圧信号Ｖｏ１を受け、基準電圧源３４の基準電圧Ｖ３４と昇圧電圧信号Ｖｏ１との差分を増幅することによって昇圧電圧Ｖｏの目標値Ｖａを決定する。目標値補正部３６は、整流電圧Ｖｓの波高値Ｖｓｐを検出し、それに応じた目標値補正信号Ｉｂを出力する。そして、目標値補正信号Ｉｂを昇圧電圧検出回路３０に注入することによって昇圧電圧信号Ｖｏ１を変化させ、目標値Ｖａを補正する働きをする。スイッチング制御回路２８は、エラーアンプ３２の出力を受け、昇圧電圧Ｖｏが補正された目標値Ｖａに一致するように主スイッチング素子１６をオン・オフ制御する。
【００１９】
また、力率改善回路１０には、何らかの理由で昇圧電圧Ｖｏが目標値Ｖａよりも高い電圧値である過電圧基準値Ｖ３８を超えると、スイッチング制御回路２８に信号を送って主スイッチング素子１６のオン・オフを停止させ、負荷１８に過大電圧の印加が継続することを防止する過電圧保護回路３８が設けられている。さらに、入力電圧Ｖｉが投入されたときに、整流回路１４の出力から平滑コンデンサ２６に向けて電流を流すダイオード４０と突入電流制限抵抗４２の直列回路を備えている。
【００２０】
次に、昇圧電圧検出回路３０、目標値補正部３６、エラーアンプ３２、および基準電圧源３４の具体的な構成について、図２の回路図に基づいて説明する。昇圧電圧検出回路３０は、昇圧電圧Ｖｏが発生する平滑コンデンサ２６の両端に並列接続された抵抗３０ａ，３０ｂ，３０ｃの直列回路であり、グランド側の抵抗３０ｂ，３０ｃに発生する電圧の合計値を昇圧電圧信号Ｖｏ１として出力する。
【００２１】
目標値補正部３６は、入力電圧検出回路４４、基準パルス発生器４６、平均化回路４８、および補正信号注入回路である補正信号注入抵抗５０を備えている。入力電圧検出回路４４は、入力電圧Ｖｉの高低が等しく現れる整流電圧Ｖｓを検出し、波高値Ｖｓｐの高低に対応した入力電圧信号Ｖｉ１を出力する。
【００２２】
基準パルス発生器４６は、一定周期の矩形波であって、入力電圧信号Ｖｉ１に応じてハイ・レベルとロー・レベルの時比率が定められる基準パルスＶ４６を出力する。ここで、基準パルス発生器４６は、マイクロコンピュータ内に設けられており、基準パルスＶ４６の時比率と入力電圧信号Ｖｉ１との関係がプログラムで定義され、当該定義を変更するときは、プログラムを書き換えることによって自在に行うことができる。基準パルスＶ４６の時比率Ｄと入力電圧信号Ｖｉ１との関係については、後の動作説明の中で詳しく述べる。
【００２３】
平均化回路４８は、基準パルスＶ４６を分圧する抵抗４８ａ，４８ｂと、グランド側の抵抗４８ｂに並列接続されたコンデンサ４８ｃとで構成され、コンデンサ４８ｃの両端に、基準パルスＶ４６を平均化した直流の平均化電圧Ｖ４８を出力する。
【００２４】
補正信号注入抵抗５０は、平均化回路４８の出力と、昇圧電圧検出回路３０の抵抗３０ｂ，３０ｃの中点との間に接続されている。ここでは、補正信号注入抵抗５０の抵抗値は、抵抗３０ｃの抵抗値よりも十分大きな抵抗値に設定され、抵抗値３０ｃの抵抗値は、自己の両端に発生する電圧が平均化電圧Ｖ４８よりも低くなるように設定されている。従って、補正信号注入抵抗５０を介して昇圧電圧検出回路３０に注入される電流信号である目標値補正信号Ｉｂは、式（１）のように表わすことができる。
【数１】
0005442525.tif 000002
【００２５】
ここで、Ｒ５０は補正信号注入抵抗５０の抵抗値である。この目標値補正信号Ｉｂが抵抗３０ｃに流れると、昇圧電圧信号Ｖｏ１が変化し、その変化量ΔＶｏ１は、式（２）のように表わすことができる。
【数２】
0005442525.tif 000003
ここで、Ｒ３０ｃは、抵抗３０ｃの抵抗値である。
【００２６】
エラーアンプ３２は、反転入力端子に基準電圧信号Ｖｏ１が入力され、非反転入力端子に基準電圧Ｖ３４が入力され、その差分を増幅して出力する反転増幅回路である。基準電圧信号Ｖｏ１と基準電圧Ｖ３４とが等しいとき、エラーアンプ３２は一定の電圧を出力し、それを受けたスイッチング制御回路２８は、昇圧電圧Ｖｏが目標値Ｖａと等しくなっていると判断し、主スイッチング素子２２のオンの時比率をそのまま継続する。基準電圧信号Ｖｏ１が基準電圧Ｖ３４よりも高くなると、エラーアンプ３２の出力が低下し、それを受けたスイッチング制御回路２８は、昇圧電圧Ｖｏが目標値Ｖａよりも高くなっていると判断し、主スイッチング素子２２のオンの時比率を小さくして昇圧電圧Ｖｏが低くなるように制御する。反対に、基準電圧信号Ｖｏ１が基準電圧Ｖ３４よりも低くなると、エラーアンプ３２の出力が上昇し、それを受けたスイッチング制御回路２８は、昇圧電圧Ｖｏが目標値Ｖａよりも低くなっていると判断し、主スイッチング素子２２のオンの時比率を大きくして昇圧電圧Ｖｏが高くなるように制御する。
【００２７】
目標値補正信号Ｉｂが変化すると、目標値Ｖａが新たな目標値Ｖａに補正されることになる。例えば、昇圧電圧Ｖｏが目標値Ｖａと等しくなっている状態で目標値補正信号Ｉｂが減少すると、式（２）に基づいて昇圧電圧信号Ｖｏ１が低下し、基準電圧信号Ｖｏ１が基準電圧Ｖ３４よりも低くなるので、エラーアンプ３２の出力が上昇し、それを受けたスイッチング制御回路２８は、昇圧電圧Ｖｏが目標値Ｖａよりも低いと判断し、主スイッチング素子２２のオンの時比率を大きくして昇圧電圧Ｖｏが高くなるように制御する。すなわち、目標値補正信号Ｉｂが減少すれば、目標値Ｖａは昇圧電圧Ｖｏを高くする方向に補正されることになり、反対に、目標値補正信号Ｉｂが増加すれば、目標値Ｖａは昇圧電圧Ｖｏが低くなる方向に補正されることになる。
【００２８】
ここで、過電圧基準値Ｖ３８、目標値Ｖａ及び基準電圧Ｖ３４の関係について説明する。上記のように目標値Ｖａは目標値補正信号Ｉｂに応じて変化するが、過電圧基準値Ｖ３８は、目標値補正信号Ｉｂがゼロから最大まで変化したときの目標値Ｖａの最大値よりも高い値に設定されている。言い換えると、基準電圧Ｖ３４は、目標値補正部３６の出力である目標値補正信号Ｉｂの有無にかかわらず、目標値Ｖａが過電圧基準値Ｖ３８以下になるように設定されている。
【００２９】
次に、力率改善回路１０の動作について、図３に基づいて説明する。基準パルス発生器４６には、上述したように、基準パルスＶ４６の時比率Ｄと入力電圧信号Ｖｉ１との関係がプログラムで定義されている。具体的には、図３に示すように、入力電圧ＶｉがＶｋ以下の範囲では時比率Ｄは変化せず一定の値であり、入力電圧ＶｉがＶｋを超えると時比率Ｄが徐々に小さくなるように定義されている。従って、入力電圧Ｖｉが電圧Ｖｋ以下の範囲では平均化電圧Ｖ４８は変化せず、昇圧電圧Ｖｏの目標値Ｖａは一定の値を示し、入力電圧ＶｉがＶｋを超えると平均化電圧Ｖ４８が徐々に低下し、目標値Ｖａが徐々に上昇する。このとき、目標値Ｖａは、常に整流電圧Ｖｓの波高値Ｖｓｐよりも高い値になるように設定されているので、昇圧チョッパ回路１６は、入力電圧Ｖｉの全範囲で主スイッチング素子２２がオン・オフして力率改善を行うことができる。
【００３０】
以上説明したように、力率改善回路１０は、例えば、入力電圧範囲の仕様が異なるものを設計する場合、マイクロコンピュータ内に設けた基準パルス発生器４６のプログラムを書き換え、入力電圧Ｖｉと目標値Ｖａ（昇圧電圧Ｖｏ）との関係を適正に変更するだけでよいので、設計や評価が容易で、変更する部品数も最小限に抑えることができる。
【００３１】
また、力率改善回路１０が搭載された製品を量産するとき、出荷検査工程で通電試験を行い、基準パルスＶ４６の時比率Ｄと入力電圧信号Ｖｉ１との関係を定義するプログラム部分を、組み立てられた製品個々の特性に合わせて書き換え、昇圧電圧Ｖｏと入力電圧Ｖｉとの関係が規格範囲内に収まるように微調整すれば、個々の製品のばらつきを容易に補正することができ、製品精度を高めることができるとともに、量産性も向上する。また、基準パルス発生器の部品点数も大幅に削減することができる。
【００３２】
また、入力電圧ＶｉがＶｋ以下の範囲で使用されたとき、目標値Ｖａが所定の値に固定され一定以上の昇圧電圧Ｖｏが確保されるので、入力電圧Ｖｉが遮断された後、昇圧電圧Ｖｏが低下するまで、一定以上の保持時間を確保することができる。
【００３３】
また、昇圧電圧Ｖｏが過電圧基準値Ｖ３８に達したときに昇圧チョッパ回路１６の動作を停止させる過電圧保護回路３８が設けられ、かつ、昇圧電圧Ｖｏの目標値Ｖａが、目標値補正部３６の出力である目標値補正信号Ｉｂの有無にかかわらず、目標値Ｖａの上限値が過電圧基準値Ｖ３８未満の安全電圧になるように構成されている。従って、目標値補正部３６で発生した特定の故障モードによって昇圧電圧Ｖｏが上昇した場合は、過電圧に対する保護が二重に設けられることになるので、製品の信頼性や安全性がさらに向上する。また、上述したように通電試験で昇圧電圧Ｖｏと入力電圧Ｖｉとの関係を微調整する場合、昇圧電圧の制御系を構成する部品の特性が最もばらついたとしても、微調整前の段階で過電圧保護回路３８が働くことがないので、微調整の作業を支障なく行うことができる。
【００３４】
また、入力電圧Ｖｉの投入時に整流回路１４の出力から平滑コンデンサ２６に向けて電流を流すダイオード４０と突入電流制限抵抗４２との直列回路で構成された突入電流防止回路を付加する場合、昇圧電圧Ｖｏの目標値Ｖａが常に整流電圧Ｖｓの波高値Ｖｓｐよりも高くなるので、定常動作中はダイオード４０と突入電流制限抵抗４２に電流が流れず、この直列回路では損失が発生しない。従って、大電力用のダイオード４０や突入電流制限抵抗４２を採用したり、突入電流制限抵抗４２の両端を短絡するための短絡スイッチ等を設けたりする等の措置が不要になり、突入電流防止回路をコンパクトで安価に構成することができる。
【００３５】
なお、上述したように、力率改善回路１０では、補正信号注入抵抗５０は、抵抗３０ｃよりも十分大きな抵抗値に設定され、抵抗値３０ｃの抵抗値が、自己の両端に発生する電圧が平均化電圧Ｖ４８よりも低くなるように設定されている。従って、式（１）で規定される目標値補正信号Ｉｂを、抵抗３０ｃに流れ込む方向にのみ発生させることができる。しかし、補正信号注入抵抗５０と抵抗３０ｃの抵抗値の大小関係を変更すれば、目標値補正信号Ｉｂを双方向に発生させることも可能である。そうすれば、基準パルスＶ４６の時比率を変更して平均化電圧Ｖ４８を昇降させることによって、昇圧電圧Ｖｏ１を高くする動作だけでなく、低くする動作も自在に行うことができる。
【００３６】
次に、その他の力率改善回路について、図４、図５に基づいて説明する。ここで、第一の実施形態の力率改善回路１０と同様の構成は、同一の符号を付して説明を省略する。その他の力率改善回路６０は、力率改善回路１０の構成と比べると、過電圧保護回路３８が削除され、ダイオード４０と突入電流制限抵抗４２との直列回路が削除され、さらに目標値補正部３６に代えて目標値補正部６２が設けられている点が異なる。
【００３７】
ここで、力率改善回路６０が昇圧電圧Ｖｏを供給する負荷１８ａは、過大な電圧が入力されると自己の破損を防止するための安全装置を具備しているので、力率改善回路６０に負荷保護用の過電圧程回路３８を設ける必要なく、削除されている。また、力率改善回路６０は、平滑コンデンサ２６の静電容量が比較的小さく、入力投入時の突入電流のエネルギーが小さいので、チョークコイル２０の巻線に存在する抵抗成分を利用すれば突入電流を容易に抑制することができる。そこで、力率改善回路６０では、突入電流制限抵抗４２とダイオード４０の直列回路が削除されている。
【００３８】
以下、目標値補正部３６に代えて設けられている目標値補正部６２を中心に、昇圧電圧Ｖｏの制御系の構成について詳しく説明する。昇圧電圧Ｖｏを安定化する制御系は、昇圧電圧検出回路３０、目標値補正部６２、エラーアンプ３２、および基準電圧源３４で構成されている。
【００３９】
昇圧電圧検出回路３０は、昇圧電圧Ｖｏが発生する平滑コンデンサ２６の両端に並列接続された抵抗３０ａ，３０ｂ，３０ｃの直列回路で構成され、グランド側の抵抗３０ｂ，３０ｃに発生する電圧の合計値を昇圧電圧信号Ｖｏ１として出力する。抵抗３０ｂ，３０ｃは、いずれか一方を削除してもよいが、ここでは、抵抗３０ａとの分圧比を微調整する目的で抵抗２本が直列に設けられている。
【００４０】
目標値補正部６２は、入力電圧検出回路４４、基準パルス発生器６４、平均化回路４８、および補正信号注入回路である補正信号注入バッファ６６を備えている。すなわち、上記の目標値補正部３６の構成と比べると、基準パルス発生器４６及び補正信号注入抵抗５０に代えて基準パルス発生器６４及び補正信号注入バッファ６６が設けられている点が異なる。
【００４１】
入力電圧検出回路４４は、入力電圧Ｖｉの高低が等しく現れる整流電圧Ｖｓを検出し、波高値Ｖｓｐの高低に対応した入力電圧信号Ｖｉ１を出力する。
【００４２】
基準パルス発生器６４は、一定周期の矩形波であって、入力電圧信号Ｖｉ１に応じてハイ・レベルとロー・レベルの時比率Ｄが定められる基準パルスＶ６４を出力する。基準パルス発生器６４は、基準パルス発生器４６と同様に、マイクロコンピュータ内に設けられており、基準パルスＶ６４の時比率Ｄと入力電圧信号Ｖｉ１との関係がプログラムで定義され、当該関係を変更するときは、プログラムを書き換えることによって自在に行うことができる。基準パルスＶ６４の時比率Ｄと入力電圧信号Ｖｉ１との関係については、後の動作説明の中で述べる。
【００４３】
平均化回路４８は、基準パルスＶ４６を分圧する抵抗４８ａ，４８ｂと、グランド側の抵抗４８ｂに並列接続されたコンデンサ４８ｃとで構成され、コンデンサ４８ｃの両端に、基準パルスＶ６４を平均化した直流の平均化電圧Ｖ４８を出力する。
【００４４】
補正信号注入バッファ６６は、平均化回路４８が出力する平均化電圧Ｖ４８を高インピーダンスに受け、基準電圧源３４のマイナス出力端子とグランドの間に低インピーダンスに出力する。ここでは補正信号注入バッファ６６の増幅率は１倍なので、基準電圧源３４に注入される目標値補正信号Ｖｂは平均化電圧Ｖ４８に等しくなる。この目標値補正信号Ｖｂが発生すると、後述するエラーアンプ３２の一方の端子電圧である基準電圧Ｖ３４が変化し、その変化量ΔＶ３４は、式（３）のように表わすことができる。
【数３】
0005442525.tif 000004
【００４５】
エラーアンプ３２は、反転入力端子に基準電圧信号Ｖｏ１が入力され、非反転入力端子に基準電圧Ｖ３４が入力され、その差分を増幅して出力する反転増幅回路である。基準電圧信号Ｖｏ１と基準電圧Ｖ３４とが等しいとき、エラーアンプ３２は一定の電圧を出力し、それを受けたスイッチング制御回路２８は、昇圧電圧Ｖｏが目標値Ｖａと等しくなっていると判断し、主スイッチング素子２２のオンの時比率を継続する。基準電圧Ｖ３４が基準電圧信号Ｖｏ１よりも低くなると、エラーアンプ３２の出力が低下し、それを受けたスイッチング制御回路２８は、昇圧電圧Ｖｏが目標値Ｖａよりも高くなっていると判断し、主スイッチング素子２２のオンの時比率を小さくして昇圧電圧Ｖｏが低くなるように制御する。反対に、基準電圧Ｖ３４が基準電圧信号Ｖｏ１よりも高くなると、エラーアンプ３２の出力が上昇し、それを受けたスイッチング制御回路２８は、昇圧電圧Ｖｏが目標値Ｖａよりも低くなっていると判断し、主スイッチング素子２２のオンの時比率を大きくして昇圧電圧Ｖｏが高くなるように制御する。
【００４６】
目標値補正信号Ｖｂが変化すると、目標値Ｖａが新たな目標値Ｖａに補正されることになる。例えば、昇圧電圧Ｖｏが目標値Ｖａと等しくなっている状態で目標値補正信号Ｖｂが上昇すると、式（３）に基づいて基準電圧Ｖ３４が上昇し、基準電圧Ｖ３４が基準電圧信号Ｖｏ１よりも高くなるので、エラーアンプ３２の出力が上昇し、それを受けたスイッチング制御回路２８は、昇圧電圧Ｖｏが目標値Ｖａよりも低いと判断し、主スイッチング素子２２のオンの時比率を大きくして昇圧電圧Ｖｏを高くなるように制御する。すなわち、目標値補正信号Ｖｂが上昇すれば、目標値Ｖａが昇圧電圧Ｖｏを高くする方向に補正されることになり、反対に、目標値補正信号Ｖｂが低下すれば、目標値Ｖａは昇圧電圧Ｖｏが低くなる方向に補正されることになる。
【００４７】
次に、力率改善回路６０の動作について、図５に基づいて説明する。基準パルス発生器６４には、上述したように、基準パルスＶ６４の時比率Ｄと入力電圧信号Ｖｉ１との関係がプログラムで定義されている。具体的には、図５に示すように、入力電圧ＶｉがＶｋ以下の範囲では時比率Ｄは変化せず一定の値であり、入力電圧Ｖｉが電圧Ｖｋを超えると時比率Ｄが徐々に大きくなるように定義されている。従って、入力電圧ＶｉがＶｋ以下の範囲では平均化電圧Ｖ４８は変化せず、昇圧電圧Ｖｏの目標値Ｖａは一定の値を示し、入力電圧ＶｉがＶｋを超えると平均化電圧Ｖ４８が徐々に上昇し、目標値Ｖａが徐々に上昇する。このとき、目標値Ｖａは、常に整流電圧Ｖｓの波高値Ｖｓｐよりも高い値になるように設定されているので、昇圧チョッパ回路１６は、入力電圧Ｖｉの全範囲で主スイッチング素子２２がオン・オフして力率改善を行うことができる。
【００４８】
以上説明したように、力率改善回路６０は、力率改善回路１０と異なる目標値補正部６２を有しているものの、ほぼ同様の作用効果を得ることができる。
【００４９】
なお、本発明の力率改善回路は、上記実施形態に限定されるものではない。例えば、入力電圧検出回路は、スイッチング制御回路が力率改善のために具備する入力電圧検出回路と兼用することができる。また、入力電圧Ｖｉの高低を精度よく検出することができれば、整流回路が出力する整流電圧を観測する方法に代えて、整流回路の前段の交流電圧や、昇圧チョッパ回路のチョークコイルの両端電圧等を観測する方法を採用してもよい。
【００５０】
また、基準パルス発生器に規定される入力電圧信号と基準パルスの時比率との関係は、厳密に直線的な関係である必要はなく、力率改善回路が設置される地域や使用条件に鑑みて、曲線的な関係や階段状の関係に定義してもよい。
【００５１】
また、補正信号注入回路は、昇圧電圧検出回路の構成に合わせ、目標値補正信号を注入しやすい回路手段を自由に選択することができる。
【符号の説明】
【００５２】
１０，６０  力率改善回路
１４  整流回路
１６  昇圧チョッパ回路
２２  主スイッチング素子
２８  スイッチング制御回路
３０  昇圧電圧検出回路
３２  エラーアンプ
３４  基準電圧源
３６，６２  目標値補正部
３８  過電圧保護回路
４０  ダイオード
４２  突入電流制限抵抗
４４  入力電圧検出回路
４６，６４  基準パルス発生器
４８  平均化回路
５０  補正信号注入抵抗
６６  補正信号注入バッファ
Ｄ  時比率
Ｉｂ，Ｖｂ  目標値補正信号
Ｖａ  昇圧電圧の目標値
Ｖｉ  入力電圧
Ｖｉ１  入力電圧信号
Ｖｏ  昇圧電圧
Ｖｏ１  昇圧電圧信号
Ｖｓ  整流電圧
Ｖ３４  基準電圧
Ｖ３８  過電圧基準値
Ｖ４８  平均化電圧
Ｖ４６，Ｖ６４  基準パルス
【図１】
0005442525.tif 000005
【図２】
0005442525.tif 000006
【図３】
0005442525.tif 000007
【図４】
0005442525.tif 000008
【図５】
0005442525.tif 000009